(57)【要約】      （修正有）【課題】丈夫であって、簡便かつ安全に、しかも迅速に液晶表示装置を梱包し運送することができ、取り扱いも容易な梱包搬送体を提供する。【解決手段】パソコン等の液晶表示装置の液晶部を被う上箱（４）と、液晶表示装置の脚部（４）を支持する下箱（６）を備え、この上箱（４）の内面に液晶部を保護する軟質の緩衝材（７）を設けると共に、上箱（４）と下箱（６）を着脱可能に連結固定し得るように面ファスナー（８）を設けている。【選択図】図１
0003135675.tif 000002
【実用新案登録請求の範囲】
【請求項１】
パソコンのモニター等の液晶表示装置の液晶部を被う上箱とその脚部を支持する下箱を備え、この上箱の内面に上記液晶部を保護する軟質の緩衝材を設けると共に上記上箱と下箱を着脱可能に連結固定し得るよう面ファスナーを設けたことを特徴とする液晶表示装置の梱包搬送体。
【請求項２】
上箱と下箱をプラスチックダンボールで形成した請求項１に記載の液晶表示装置の梱包搬送体。
【請求項３】
上箱に液晶表示装置のコード類を支持する面ファスナーを設けた請求項１または２に記載の液晶表示装置の梱包搬送体。
【請求項４】
上箱内に下箱を収納した状態で下箱を保持する面ファスナーを設けた請求項１乃至３のいずれかに記載の液晶表示装置の梱包搬送体。
【請求項５】
軟質の緩衝材は上箱内上方に向かって内方に傾斜する傾斜面を有する請求項１乃至４のいずれかに記載の液晶表示装置の梱包搬送体。
【請求項６】
上箱と下箱の縁部にフレームを設けた請求項１乃至６のいずれかに記載の液晶表示装置の梱包搬送体。
【請求項７】
下箱のコーナーに補強部材を設け、下箱の上に上箱を載置した際に上箱の下部が対向する補強部材の間に収まるようこの対向する補強部材間の幅を上箱の幅に形成した請求項６に記載の液晶表示装置の梱包搬送体。
【請求項８】
上箱に取っ手を設けた請求項１乃至７のいずれかに記載の液晶表示装置の梱包搬送体。
【考案の詳細な説明】
【技術分野】
【０００１】
本考案は、引越しする場合等において、パソコンのモニター等の液晶表示装置を運搬車等で運送する際にその液晶表示装置を簡便かつ安全に梱包し搬送することができるようにした液晶表示装置の梱包搬送体に関する。
【背景技術】
【０００２】
従来、パソコンのモニターは、通常直方体形状に形成されたダンボール箱に収納されて販売されており、このモニターをダンボール箱より取り出した後に一時保管しておき、引越し等の際にこのダンボールにモニターを収納して搬送しているのが実情である。しかし、このダンボール箱はかなり大き目に作成されているので、押し入れや物置に収納する場合に、かなりのスペースを必要とし、嵩張り易く取り扱い難いものであった。
【０００３】
また、液晶テレビを梱包するものとして、スタンドを支持する底ケースと、液晶テレビの上部を支持する上枠を介して液晶テレビを被う上箱を有し、その底ケースと上箱を固定するジョイントを設けたものが知られている。しかし、このものは、上記底ケースと上枠の構造が複雑であると共に、上箱と底ケースをジョイントで固定しているために手間がかかるものであった。
【特許文献１】特開２００５−２３９２７６号公報（段落０００２、図４〜図６）
【考案の開示】
【考案が解決しようとする課題】
【０００４】
本考案は、このような従来の問題点を解消しようとするものであって、丈夫であると共に、簡便かつ安全に、しかも迅速に安定して液晶表示装置を梱包し運送することができ、取り扱いも容易である梱包搬送体を提供しようとするものである。
【課題を解決するための手段】
【０００５】
本考案は、パソコン等の液晶表示装置の液晶部を被う上箱と、脚部を支持する下箱を有し、この上箱の内面に上記液晶部を保護する軟質の緩衝材を設けると共に、上記上箱と下箱を着脱可能に連結固定し得るようにした面ファスナーを設けたものである。
【０００６】
また、本考案は、上箱と下箱をプラスチックダンボールで形成したものである。
【０００７】
更に、本考案は、上箱に液晶表示装置のコード類を支持するための面ファスナーを設けたものである。
【０００８】
また、上箱内に下箱を収納した状態で下箱を保持するための面ファスナーを設けたものである。
【０００９】
更に、上箱内に設けた軟質の緩衝材は上方に向かって内方に傾斜する傾斜面を有するものである。
【００１０】
また、上箱と下箱の縁部にフレームを設けたものである。
【００１１】
更に、下箱のコーナーに補強部材を設け、下箱の上に上箱を載置した際に上箱の下部が対向する補強部材の間に収まるようにしたものである。
【００１２】
また、本考案は、上箱に取っ手を設けたものである。
【考案の効果】
【００１３】
本考案は、構造が簡易であって作り易く、また梱包及び搬送が簡便かつ安全にできると共に迅速にでき、しかも持ち運び易く搬送もし易い。更に、プラスチックダンボールを用いることによって軽量かつ丈夫に作ることができると共に、上箱及び下箱の縁部にフレームやコーナーを設け更に丈夫に作ることができ、梱包及び搬送中に箱内の表示装置を十分に保護することができる。
【００１４】
また、本考案は、本梱包搬送具に設けた面ファスナーによって液晶表示装置のコード類を保持することができ、また本梱包搬送具を使用しない時は、上箱内に下箱を収納し、この下箱を面ファスナーによって保持することができ、使い易い。
【００１５】
更に、本考案は、上箱内に設けた軟質の緩衝材によって液晶面を保護することができ、また上箱内の側面に形成した緩衝材が上方に向かって内方に傾斜する面を有すことによって、液晶表示装置を収容する際に入れ易い上に、寸法の異なる複数の液晶表示装置（例えば１５インチ及び１７インチ）にも対応することができる。
【００１６】
また、本考案は、下箱のコーナーに設けた対向する補強部材間の幅を上箱の奥行き幅に形成しているので、下箱のコーナー間に上箱の下部を収めることができ上箱を下箱に更に安定して保持することができる。
【００１７】
更に、本考案は、上箱に取っ手を設けているので、更に持ち運び易くなる。
【考案を実施するための最良の形態】
【００１８】
梱包搬送体（１）は、液晶表示装置（２）の液晶部（３）を被う上箱（４）と、脚部（５）を支持する下箱（６）と、上箱（４）の内面に設けた上記液晶部を保護する軟質の緩衝材（７）と、上記上箱と下箱を着脱可能に連結固定する面ファスナー（８）を備えている。
【００１９】
実施例では、上記上箱（４）と下箱（６）をポリプロピレンのプラスチックダンボールで形成しているが、その他のプラスチック材や適宜材料の板材で形成することができる。また、上記軟質の緩衝材（７）は、軟質の発泡ポリウレタンで形成しているが、その他の軟質の発泡スチロール、発泡ポリエチレン、発泡ポリプロピレンや海綿体等で形成することができる。
【００２０】
上記上箱（４）と下箱（６）を製造する場合について、それぞれ図５及び図６を用いて説明する。
上箱（４）の場合は、図５に示すように、プラスチックダンボール（９）を上面部（１０）と、前面部（１１）と、後面部（１２）と、側面部（１３）及びフラップ部（１４）を有するように裁断し、その上面部（１０）に取っ手（１５）を取り付けるための孔（１６）が設けられる。
【００２１】
このプラスチックダンボール（９）は、折り曲げ線（１７）に沿って各部片（１０〜１４）を折り曲げ、その側面部（１３）にフラップ部（１４）を重ね、重ね合わせた側面部（１３）とフラップ部（１４）を鋲（１８）で連結し固定して組み立てている。なお、側面部（１３）とフラップ部（１４）の固定方法は、はとめや綴り具等適宜の連結手段を用いることができる。
【００２２】
プラスチックダンボール（９）の組み立ての際に、事前に上記取っ手（１５）及び軟質の緩衝材（７）をそれぞれ上面部（１０）及び前面部（１１）と後面部（１２）に取り付けておく。この場合、上記取っ手（１５）は、図７に示すように、両端部（１９）を上面部（１０）に形成した孔（１６）に挿入し上面部の裏面に補強片（２０）を介しこれらを貼着して取り付けている。また、上記軟質の緩衝材（７）は、各部片（１０〜１３）に貼着等して装着されるが、側面部（１３）については、上記鋲（１８）を用いる都合があるので組み立てた後に上記軟質の緩衝材（７）を貼着することになる。
【００２３】
上記上箱（４）の下部縁部（２１）には、チャンネル状のフレーム（２２）が嵌合され、これを鋲（１８）止めして縁部を補強している。上箱（４）は、実施例では、１５インチ及び１７インチの双方のパソコン用液晶表示装置に適用できるように横幅が約４３５ｃｍ、縦幅（奥行き幅）が約１２５ｃｍ、高さが約３５０ｃｍの寸法に形成されているが、これはその液晶表示装置の大きさや種類によって種々の寸法とすることができる。
【００２４】
一方、上記液晶表示装置（２）の脚部（５）を支持する下箱（６）は、図６に示すように、プラスチックダンボール（９）を底面部（２３）と、前面起立部（２４）と、後面起立部（２５）と、側面起立部（２６）及びフラップ部（２７）を有するように裁断した後、この前面起立部（２４）と、後面起立部（２５）と、側面起立部（２６）及びフラップ部（２７）を折り曲げ線（２８）に沿って折り曲げ、その折り曲げた部片（２４〜２７）にフレーム（２９）を装着すると共にそのコーナーに補強部材（３０）装着し、これらを鋲（１８）止めして形成している（図３）。なお、この場合、上記下箱の底面部の内面には、軟質の緩衝材（７）が設けられている。
【００２５】
上記フレーム（２９）及び補強部材（３０）は、この例ではポリプロピレン材で形成しているが、その他ポリエチレン、ポリ塩化ビニール、ポリカーボネート、フッソ樹脂、ＡＢＳ樹脂等のプラスチック材等を用いて形成することができる。
【００２６】
次に、上記梱包搬送体（１）を用いて液晶表示装置（２）を梱包する場合について説明する。先ず液晶表示装置（２）の脚部（５）を下箱の軟質の緩衝材（７）上に載置し、その液晶表示装置（２）の液晶部（３）に上箱（４）を被せる。この場合、下箱の対向する補強部材（３０）間の幅を上箱の縦幅に形成しておくと、上箱の下部を下箱の補強部材（３０）間に納めることができ、載置した際により一層安定して支持することができる。
【００２７】
なお、上記上箱（４）の側面部内面に設けた軟質の緩衝材（７）は、図２に示すように上箱内上方に向かって内方に傾斜する面（３３）を有するように形成されているので、液晶表示装置を上箱内に挿入する際に抵抗なくスムーズに挿入することができ、しかも１５インチ及び１７インチの双方の液晶表示装置に対して共用することができ使い易い。
【００２８】
このようにして、下箱（６）の上に上箱（４）を配置した後、図１に示すように、上箱と下箱間に設けた面ファスナー（８）で上箱と下箱を連結し固定する。この実施例では、面ファスナーの一対をなす一方の鈎部（３１）を下箱（６）側に設け、他方のループ部（３２）を上箱（４）に設けているが,これらは反対にして設けてもよく、また面ファスナー（８）を上箱の側面以外に前後面に設けたり、あるいは面ファスナーを４本等と複数にしたりしてもよい。
【００２９】
上記上箱（４）には、液晶表示装置（２）のコード類（３４）を支持するために鈎部（３５）とループ部（３６）を有する面ファスナー（３７）を設けることができる。また、上箱（４）には、上記面ファスナーの鈎部（３５）に対応するループ部（３８）が設けられているので、梱包搬送体（１）を使用しない時には、図４に示すように上箱（４）内に下箱（６）を挿入し、これを上記面ファスナー（３５）で保持しておくことができる。
【００３０】
本梱包搬送体は、液晶テレビ、液晶ゲーム械、液晶パネル等にも適用することができる。
【図面の簡単な説明】
【００３１】
【図１】梱包搬送体の斜面図である。
【図２】上箱の斜面図である。
【図３】下箱の斜面図である。
【図４】上箱に下箱を挿入しこれを面ファスナーで保持する場合を示す斜面図である。
【図５】上箱の展開図である。
【図６】下箱の展開図である。
【図７】取っ手部を切り欠いて示す拡大断面図である。
【符号の説明】
【００３２】
１  梱包搬送体    ２  液晶表示装置    ４  上箱    ５  脚部    ６  下箱    ７  軟質の緩衝材    ８、３７  面ファスナー    １５  取っ手    １８  鋲    ２２、２９  フレーム    ３０  補強部材    ３３  傾斜面
【図１】
0003135675.tif 000003
【図２】
0003135675.tif 000004
【図３】
0003135675.tif 000005
【図４】
0003135675.tif 000006
【図５】
0003135675.tif 000007
【図６】
0003135675.tif 000008
【図７】
0003135675.tif 000009
【手続補正書】
【提出日】平成19年7月13日(2007.7.13)
【手続補正１】
【補正対象書類名】実用新案登録請求の範囲
【補正対象項目名】請求項６
【補正方法】変更
【補正の内容】
【請求項６】
上箱と下箱の縁部にフレームを設けた請求項１乃至５のいずれかに記載の液晶表示装置の梱包搬送体。